(57)【特許請求の範囲】
【請求項１】
各フィルムの間に粘着剤を用いて絶縁層を接合した構造を有するとともに、所定箇所に設けられた第１の空隙を隔てて対向配置される前記各フィルム上の導電層により構成される検知部を有し、前記導電層間の接触によって前記フィルムに作用する圧力を検知するフィルムセンサであって、
前記各検知部における粘着剤に起因した前記フィルムの相対的な滑りを防止するために、前記各検知部の近傍にそれぞれ前記フィルム間を固定する固定手段を設けたことを特徴とするフィルムセンサ。
【請求項２】
前記固定手段では、前記各検知部における前記フィルムの相対的な滑りを防止するために第２の空隙を設け、前記第２の空隙を隔てて対向する前記フィルム間を固定することを特徴とする請求項１に記載のフィルムセンサ。
【請求項３】
前記固定手段では、前記各検知部における前記フィルムの相対的な滑りを防止するために前記フィルム間に固定治具をかしめることを特徴とする請求項１に記載のフィルムセンサ。
【発明の詳細な説明】
【０００１】
【発明の属する技術分野】
本発明は、フィルムに作用する圧力を検知するフィルムセンサに関し、特に圧力検知性能の改善を図るフィルムセンサに関する。
【０００２】
【関連する背景技術】
フィルムセンサは、圧力を検出するための圧力センサに使用されており、例えば図４に示す扁平なフィルム電線１１は、ポリエチレンテレフタレート（ＰＥＴ）等の柔軟な電気絶縁性の回路基板からなるプラスチックフィルム１２，１３の間に絶縁層１４を、粘着剤を用いて接合した構造を有している。このとき、プラスチックフィルム１２，１３は、一方の面に、例えば導電性塗料を印刷した導電層１２ａ，１３ａが形成されており、導電層１２ａ，１３ａは対向して配置されている。一方、絶縁層１４には、所定箇所に開口部１４ａが設けられており、この部分で導電層１２ａ，１３ａが絶縁層１４の厚さ分の空間（空隙）を介して対向することで、外部からフィルム電線１１に作用する圧力を検知する検知部１５を構成している。
【０００３】
従って、フィルム電線１１は、いずれか一方の面側から開口部１４ａに圧力が作用すると、プラスチックフィルム１２，１３の一方或いは双方が弾性的に変形し、導電層１２ａと導電層１３ａとが開口部１４ａの部分で電気的に導通することを利用して、図示しない検出回路による圧力検出を可能としている。
このようなフィルムセンサを湾曲させると、曲げの内径と外径の差によってプラスチックフィルム１２，１３に歪みが生じ、この歪みにより検知部１５で導電層１２ａと導電層１３ａが接触する。フィルムセンサでは、所定検知部１５でこれを電気的に検知することで、曲げが加わったことを検出していた。
【０００４】
【発明が解決しようとする課題】
ところが、上記フィルムセンサでは、曲げが加わった状態で長時間経過すると、検知部において導電層１２ａ，１３ａ間が離れて電気的接触が解除されてしまう。この原因は、プラスチックフィルム１２，１３間が絶縁層１４を介して粘着剤で接合されており、時間の経過にしたがってフィルム１２，１３の一方或いは両方が相対的に滑り、フィルムセンサを湾曲させたことによる歪みが解消されるためである。
【０００５】
従って、フィルムセンサを湾曲させた当初は、曲げが加わったことを検出できても、その状態のまま長時間経つと曲げを検出できなくなる不具合を生じるおそれがあった。
そこで、このような曲げ検出に経時変化が生じる原因となる粘着剤の滑りを防止するために、例えばフィルムセンサ全体を、エポキシ系の熱硬化性接着剤を使用して貼り合わせたり、又は絶縁層を介在させた両フィルムの全体を熱融着する方法が考えられるが、製造コストが高価となり、経済的な不具合が生じるものであった。
【０００６】
本発明は、上述の不具合に鑑みてなされたもので、フィルムセンサに曲げが加わった状態で長時間経過しても、正確に曲げを検出できるフィルムセンサを提供することを目的とする。
【０００７】
【課題を解決するための手段】
上記目的を達成するため、本発明では、各フィルムの間に粘着剤を用いて絶縁層を接合した構造を有するとともに、所定箇所に設けられた第１の空隙を隔てて対向配置される前記各フィルム上の導電層により構成される検知部を有し、前記導電層間の接触によって前記フィルムに作用する圧力を検知するフィルムセンサであって、前記各検知部における粘着剤に起因した前記フィルムの相対的な滑りを防止するために、前記各検知部の近傍にそれぞれ前記フィルム間を固定する固定手段を設けたことを特徴とするフィルムセンサが提供される。
【０００８】
すなわち、検知部の近傍において部分的にフィルム間を接合することで、フィルムの相対な滑りを防止して正確に曲げを検出する。また、前記固定手段では、前記各検知部における前記フィルムの相対的な滑りを防止するために第２の空隙を設け、前記第２の空隙を隔てて対向する前記フィルム間を固定することで、フィルムの相対な滑りの防止を図ることが好ましい。
【０００９】
また、前記固定手段では、前記各検知部における前記フィルムの相対的な滑りを防止するために前記フィルム間に固定治具をかしめることで、フィルムの相対な滑りの防止を図ることが好ましい。
【００１０】
【発明の実施の形態】
本発明に係るフィルムセンサの一実施形態を図１乃至図３の図面に基づいて説明する。なお、以下の図において、図４と同様の構成部分に関しては、説明の都合上、同一符号を付記する。
図１は、本発明に係るフィルムセンサの第１実施例の構造を示す断面図である。図において、検知部１５は、絶縁層１４の所定箇所に設けられた本発明の第１の空隙を構成する開口部１４ａと、開口部１４ａを隔てて対向配置される各フィルム上の導電層とから構成されている。
【００１１】
この検知部１５の近傍の絶縁層１４には、本発明の第２の空隙を構成する開口部１４ｂが設けられ、この開口部１４ｂを隔てて対向するフィルム１２，１３間を接合させて固定することで、本発明の固定手段が構成されている。すなわち、本実施例では、検知部１５周囲の近傍において、絶縁層１４の数カ所に開口部１４ｂを設け、各開口部１４ｂでフィルム１２，１３同士を、例えば超音波溶接等の手段で熱融着することで、フィルム１２，１３の滑りを阻止する。
【００１２】
なお、この熱融着する箇所には、導電層１２ａ，１３ａが形成されていないように、予め導電層１２ａ，１３ａの形状を設定しておく必要がある。
このように、本実施例では、検知部の近傍において絶縁層の数カ所に開口部をそれぞれ設け、開口部を隔てて対向し、かつ導電層が形成されていないフィルム間を部分的に固定することで、粘着剤に起因したフィルムの相対な滑りを防止して、フィルムセンサに曲げが加わった状態で長時間経過しても、正確にその曲げを検出できる。
【００１３】
次に、図２及び図３に示した第２及び第３実施例について説明する。図２及び図３においては、検知部１５の近傍のフィルム１２，１３間に固定治具１６，１７をかしめることで、本発明の固定手段が構成されている。
すなわち、図２に示した第２実施例では、検知部１５周囲の近傍において、数カ所のフィルム１２，１３同士に鳩目１６をかしめることで、フィルム１２，１３の滑りを阻止する。また、図３に示した第３実施例では、検知部１５周囲の近傍において、数カ所のフィルム１２，１３同士に針金１７をかしめることで、フィルム１２，１３の滑りを阻止する。
【００１４】
なお、これら実施例においても、鳩目１６や針金１７をかしめる箇所のフィルム１２，１３には、導電層１２ａ，１３ａが形成されていないように、予め導電層１２ａ，１３ａの形状を設定しておく必要がある。
このように、第２及び第３実施例では、検知部の近傍で、かつ導電層が形成されていないフィルム間を数個の固定治具によって部分的に固定することで、粘着剤に起因したフィルムの相対な滑りを防止して、フィルムセンサに曲げが加わった状態で長時間経過しても、正確にその曲げを検出できる。
【００１５】
従って、本発明では、上記実施例に示したごとく、検知部周囲の近傍の数カ所にプラスチックフィルムの滑りを阻止する固定手段を設けており、上述のようなフィルムセンサが湾曲された際に、その曲げ検出における経時変化を防止することができる。
本発明は、これら実施例に限定されるものではなく、本発明の要旨を逸脱しない範囲で種々の変形実施が可能である。例えば、本発明の固定治具は、実施例の鳩目や針金に限らず、種々の固定治具によって実現が可能である。
【００１６】
【発明の効果】
以上説明したように、本発明では、所定箇所に設けられた第１の空隙を隔てて対向配置される各フィルム上の導電層により構成される検知部を有し、前記導電層間の接触によって前記フィルムに作用する圧力を検知するフィルムセンサであって、前記検知部の近傍で前記フィルム間を固定する固定手段を備えたので、フィルムセンサに曲げが加わった状態で長時間経過しても、正確に曲げを検出できる。
【００１７】
請求項２において、前記固定手段では、前記検知部の近傍に第２の空隙を設け、前記第２の空隙を隔てて対向する前記フィルム間を固定することで、フィルムの相対的な滑りを防止して、フィルムセンサに曲げが加わった状態で長時間経過しても、正確に曲げを検出できる。
また、請求項３において、前記固定手段では、前記検知部の近傍の前記フィルム間に固定治具をかしめることで、フィルムの相対的な滑りを防止して、フィルムセンサに曲げが加わった状態で長時間経過しても、正確に曲げを検出できる。
【図面の簡単な説明】
【図１】本発明に係るフィルムセンサの第１実施例の構造を示す断面図である。
【図２】同じく、第２実施例の構造を示す断面図である。
【図３】同じく、第３実施例の構造を示す断面図である。
【図４】従来のフィルム電線の構造を示す断面図である。
【符号の説明】
１１    フィルム電線
１２    プラスチックフィルム
１２ａ，１３ａ  導電層
１４    絶縁層
１４ａ  開口部
１５    検知部
１６    鳩目
１７    針金
【図１】
0004443657.tif 000002
【図２】
0004443657.tif 000003
【図３】
0004443657.tif 000004
【図４】
0004443657.tif 000005